(57)【要約】【課題】充電回路の充電電流を、冷却ファンの冷却能力内で最大限に増加させ、何れの火力設定においても最適な充電を行うこと。【解決手段】冷却ファン１６のファン速度を同一とした火力設定の範囲内において火力設定を大きくしたときに充電電流を同じかまたは減少させるとともに、火力設定を大きくしたときにファン速度が大きくなるときは充電電流を増加させることにより、冷却ファン１６のファン速度が大きくなるような設定火力時において充電回路または蓄電部の冷却能力に余裕がある場合は充電電流を増加できるようになる。【選択図】図１
2014216169.tif 000002
【特許請求の範囲】
【請求項１】
電気エネルギーを蓄える蓄電部と、商用電源から供給される電力を前記蓄電部に充電する充電部と、被加熱物を誘導加熱する加熱コイルと、前記加熱コイルに高周波電流を供給するインバータ部と、前記インバータ部へ前記蓄電部に蓄えられた電気エネルギーを供給する電源供給部と、使用者が火力設定を入力するための操作部と、前記蓄電部または前記充電部と前記インバータ部を冷却し、前記火力設定が大きくなるに従いファン速度が大きくなるようにした少なくとも２段階以上のファン速度を有する冷却ファンと、前記電源供給部の電源供給、前記インバータ部の駆動、および前記冷却ファンの速度を制御する制御手段と、を備え、前記制御手段は、前記冷却ファンの前記ファン速度を同一とした前記火力設定の範囲内において前記火力設定を大きくしたときに前記充電部の充電電流を同じかまたは減少させるとともに、前記火力設定を大きくしたときに前記ファン速度が大きくなるときは前記充電電流を増加させる誘導加熱調理器。
【請求項２】
前記制御手段は、前記火力設定を小さくしたときに前記ファン速度が小さくなるときは前記充電電流を減少させ、前記ファン速度が小さくなってから前記充電電流を減少させるまでの時間よりも前記ファン速度が大きくなってから前記充電電流を増加させるまでの時間を長く設定した請求項１に記載の誘導加熱調理器。
【発明の詳細な説明】
【技術分野】
【０００１】
本発明は、蓄電池を備えた誘導加熱調理器に関するものである。
【背景技術】
【０００２】
従来、この種の誘導加熱調理器は、図４に示すように調理物を加熱する調理容器１０１と、調理容器１０１を載置するトッププレート１０２と、調理容器１０１を加熱するために誘導磁界を発生させる加熱コイル１０３と、トッププレート１０２を介して調理容器１０１の温度を検出する温度センサ１０４と、加熱コイル１０３に高周波電流を供給するインバータ回路１０５と、商用電源から電源を供給する商用電源供給手段１０６と、商用電源を全波整流する整流器１０７と、全波整流された電源電力をインバータ回路１０５へ供給する電源供給部１０８と、電気エネルギーを蓄電する蓄電部１０９と、商用電源から蓄電部１０９へ充電するための充電回路１１０と、インバータ回路１０５が出力する高周波電流を制御し、調理容器１０１の加熱電力を制御する制御手段１１１を備え、制御手段１１１は電源供給部１０８を制御することで蓄電部１０９に蓄えられた電力と商用電源から得られる電力を合わせてインバータ回路１０５へ電力供給することで、商用電源だけで供給できる電力よりも高い電力を出力できる誘導加熱調理器があった。
【先行技術文献】
【特許文献】
【０００３】
【特許文献１】特開平１１−１１１４４２号公報
【発明の概要】
【発明が解決しようとする課題】
【０００４】
しかしながら、前記従来の構成では、冷却ファンの冷却能力に関わらず充電電流を一定量にて制御していたため、騒音の増加および効率のよい充電を行うことができないという課題を有していた。
【０００５】
例えば、設定火力が火力弱で加熱しながら蓄電部の充電を同時に行っている場合は充電電流による発熱により温度上昇する充電回路や蓄電池等を冷却するため、充電を行わない場合に比べ冷却ファンの速度を増加させる必要があるため、充電中は設定火力を低下させても充電回路または蓄電部を冷却するのに必要な冷却能力を得られるだけの回転数を確保するためにファンの速度を低下することができず、騒音の増加につながっていた。
【０００６】
また、火力が強い場合はスイッチング素子などを含むインバータ回路や加熱コイルなどの発熱による温度上昇を抑えるために冷却ファンの速度を火力弱の場合に比べ増加させているため、充電回路または蓄電部の冷却能力も増加するが、充電電流は火力弱の場合と同じであるため、充電時の冷却能力に余裕がある状態で充電し、充電の時間効率が低下していた。
【０００７】
本発明は、前記従来の課題を解決するもので、冷却ファンの冷却能力内で最大限に充電電流を増加させ、何れの火力設定においても最適な充電を行うことができる誘導加熱調理器を提供することを目的とする。
【課題を解決するための手段】
【０００８】
前記従来の課題を解決するために、本発明の加熱調理器は、電気エネルギーを蓄える蓄電部と、商用電源から供給される電力を前記蓄電部に充電する充電部と、被加熱物を誘導加熱する加熱コイルと、前記加熱コイルに高周波電流を供給するインバータ部と、前記イ
ンバータ部へ前記蓄電部に蓄えられた電気エネルギーを供給する電源供給部と、使用者が火力設定を入力するための操作部と、前記蓄電部または前記充電部と前記インバータ部を冷却し、前記火力設定が大きくなるに従いファン速度が大きくなるようにした少なくとも２段階以上のファン速度を有する冷却ファンと、前記電源供給部の電源供給、前記インバータ部の駆動、および前記冷却ファンの速度を制御する制御手段と、を備え、前記制御手段は、前記冷却ファンの前記ファン速度を同一とした前記火力設定の範囲内において前記火力設定を大きくしたときに前記充電電流を同じかまたは減少させるとともに、前記火力設定を大きくしたときに前記ファン速度が大きくなるときは前記充電電流を増加させるようにしたものである。これにより、例えば、低い火力の場合は冷却ファンの速度を増加させずに充電回路また蓄電部の発熱が抑えられる範囲にて充電を行えるようになり、また、高い火力の場合は冷却ファンのファン速度が大きくなっているので充電回路または蓄電部の冷却能力に余裕がある場合は充電電流を増加できるようになる。
【発明の効果】
【０００９】
本発明の誘導加熱調理器は、冷却ファンの冷却能力内で最大限に充電電流を増加させることが可能となり、何れの火力設定においても冷却ファンのファン速度に最適な充電電流を制御することができ、低い火力では冷却ファンの騒音を増加させず、高い火力では高速に充電することができる。
【図面の簡単な説明】
【００１０】
【図１】本発明の実施の形態における誘導加熱調理器の全体構成図
【図２】本発明の実施の形態１における誘導加熱調理器のフローチャート
【図３】本発明の実施の形態２における誘導加熱調理器のフローチャート
【図４】従来の誘導加熱調理器の全体構成図
【発明を実施するための形態】
【００１１】
第１の発明は、電気エネルギーを蓄える蓄電部と、商用電源から供給される電力を前記蓄電部に充電する充電部と、被加熱物を誘導加熱する加熱コイルと、前記加熱コイルに高周波電流を供給するインバータ部と、前記インバータ部へ前記蓄電部に蓄えられた電気エネルギーを供給する電源供給部と、使用者が火力設定を入力するための操作部と、前記蓄電部または前記充電部と前記インバータ部を冷却し、前記火力設定が大きくなるに従いファン速度が大きくなるようにした少なくとも２段階以上のファン速度を有する冷却ファンと、前記電源供給部の電源供給、前記インバータ部の駆動、および前記冷却ファンの速度を制御する制御手段と、を備え、前記制御手段は、前記冷却ファンの前記ファン速度を同一とした前記火力設定の範囲内において前記火力設定を大きくしたときに前記充電電流を同じかまたは減少させるとともに、前記火力設定を大きくしたときに前記ファン速度が大きくなるときは前記充電電流を増加させるようにしたものである。これにより、冷却ファンの冷却能力内で最大限に充電電流を増加させることが可能となり、何れの火力設定においても冷却ファンのファン速度に最適な充電電流を制御することができ、例えば、低い火力の場合は冷却ファンの速度を増加させずに充電回路また蓄電部の発熱が抑えられる範囲にて充電を行えるようになり、また、高い火力の場合は冷却ファンのファン速度が大きくなっているので充電回路または蓄電部の冷却能力に余裕がある場合は充電電流を増加することができる。
【００１２】
第２の発明は、特に第１の発明の誘導加熱調理器において、前記制御手段は、前記火力設定を小さくしたときに前記ファン速度が小さくなるときは前記充電電流を減少させ、前記ファン速度が小さくなってから前記充電電流を減少させるまでの時間よりも前記ファン速度が大きくなってから前記充電電流を増加させるまでの時間を長く設定したものである。これにより、火力が頻繁に変更され、ファン速度が短時間に変化する場合には、なるべく充電電流が少ない側で充電されやすくでき、充電回路や蓄電池への負担を減らすことが
できる。
【００１３】
以下、本発明の実施の形態について、図面を参照しながら説明する。なお、この実施の形態によって本発明が限定されるものではない。
（実施の形態１）
図１は、本発明の第１の実施の形態における誘導加熱調理器の全体構成図である。
【００１４】
図１において、トッププレート２の上に調理容器１が載置されており、調理容器１は加熱コイル３で発生させた高周波磁界による電磁誘導により加熱される。温度センサ４は加熱コイル３の下方に設置され、調理容器１の底面から放射されトッププレート２の可視部越しに入光される熱赤外線を検知する。制御手段５はマイコンにより構成され、温度センサ４で検知した温度情報に基づいて、加熱コイル３に高周波電流を供給するインバータ部６、ブザーやスピーカなどで構成し使用者にお知らせする報知手段８、蓄電部１３に蓄えられた電気エネルギーをインバータ部６へ供給する電力供給部１１、商用電源９から供給される電力を蓄電部１３に充電する充電部１５、蓄電部１３と充電部１５とインバータ部６を冷却する冷却ファン１６を制御する。
【００１５】
なお、本実施の形態の温度センサ４は熱赤外線を検知するものとしたが、温度情報が得られる構成であれば、伝道熱を検知するサーミスタによるなど、これに限らなくてもよい。
【００１６】
使用者は操作部７を介し、加熱調理器の電源ＯＮ／ＯＦＦを切り替えることと、トッププレート２の上に設置された調理容器１を加熱するために対応したバーナーの加熱開始や停止を行うことができる。また、加熱中は設定火力を変更することができ、調理メニューを選択することで例えば揚げ物調理の温調制御をおこなうことができる。
【００１７】
また、電源ＯＮの場合は電源ＬＥＤを点灯させ、現在の設定火力をＬＥＤの点灯数により表示することができる。
【００１８】
また、制御手段５は使用者による操作に応じて報知手段８にて音声、ブザーなどで報知を行うことができる。また、炊飯調理や湯沸かし等の自動調理を行う場合や、タイマー調理により、設定時間後に加熱を停止する場合などにおいて報知手段８にて、調理終了を報知することができる。
【００１９】
商用電源９から供給された交流電源（本実施の形態ではＡＣ１００Ｖとする）は第１の整流器１０を介して直流電源に変換される。第１の整流器１０により全波整流された直流電源は電力供給部１１に接続され、第１の所定電圧（本実施の形態ではＤＣ２００Ｖとする）に昇圧される。
【００２０】
なお、本実施の形態における第１の所定電圧はＤＣ２００Ｖとしたが、インバータ部６の構成要素であるパワー半導体や、変換効率を加味し設定するものであり、これに限らなくてもよい。
【００２１】
電力供給部１１により昇圧された出力はキャパシタ１２に供給され平滑される。本実施の形態では、ＡＣ１００Ｖ入力、入力電流ＭＡＸを１４Ａとし、出力電圧を２００Ｖ、出力電流ＭＡＸを７Ａの昇圧回路とする。また、電力供給部１１は力率を改善するＰＦＣ機能を持ち、入力電流を監視する入力電流検知手段を備えた回路とする。
【００２２】
蓄電部１３はリチウムイオン電池をバッテリーセルに使用し、定格電圧５０Ｖ、１０００Ｗｈの蓄電池で構成する。なお、本実施の形態では、リチウムイオン電池を使用すると
したが、ニカド蓄電池やニッケル水素蓄電池、鉛蓄電池等の他の蓄電池でもよい。
【００２３】
蓄電部１３は商用電源９から供給された交流電源を第２の整流器１４を介して直流電源に変換された電源から充電電圧に変換する充電部１５を介して充電される。
【００２４】
充電部１５はＡＣ１００Ｖを降圧し、ＤＣ５０Ｖに変換する定電圧定電流回路であり、蓄電部１３の充電電圧が低い間は定電流充電を行い、充電電圧が高くなった場合に定電圧充電を行うＣＶＣＣ方式とする。なお、本実施の形態では充電部１５の回路構成をＣＶＣＣ方式としたが、パルス充電方式等他の方式でもよい。
【００２５】
また、商用電源９から直接にインバータ部６に電源供給する場合、電力供給部１１は、インバータ部６の出力が商用電源９からの供給能力未満のときは、定電圧制御を行い、供給能力以上になると定電圧を保てなくなるため、電力供給部１１は、定電流制御を行うことで、商用電源側からの過剰供給を防ぐようにしている。
【００２６】
冷却ファン１６はスイッチング素子などを含むインバータ部６や加熱コイル３、制御手段５、キャパシタ１２、蓄電部１３、充電部１５など構成部品の温度上昇を抑えている。冷却ファンのファン速度は設定火力の強さに対応して、例えば火力弱（３００Ｗ）の時は１０００ＲＰＭ、火力強（１３００Ｗ）の時は２４００ＲＰＭというように火力が強い方がファン速度が高くなるように予め設定している。なお、ファン速度は火力に対応して設定されるとしたが、実際には設定火力に応じた構成部品の発熱量に対応して設定したものであり、火力弱の時は構成部品の発熱が少ないので１０００ＲＰＭとし、火力強の時は構成部品の発熱が多いので２４００ＲＰＭとしたのであって、例えば揚げ物時など、被加熱物からの輻射熱による機器内部の温度上昇が想定される場合には上記の火力に対応したファン速度よりもさらにファン速度を高くするようにしている。
【００２７】
制御手段５は、冷却ファン１６のファン速度を大きくするに伴い、充電部１５の充電電流を増加する。例えば、操作部７にて火力弱の３００Ｗから火力強の１３００Ｗに設定火力を変更した場合、ファン速度をスイッチング素子などを含むインバータ部６や加熱コイル３、制御手段５、キャパシタ１２、蓄電部１３、充電部１５など構成部品の温度上昇を抑えるため火力弱の時の構成部品の発熱を冷却する１０００ＲＰＭから火力強の時の構成部品の発熱を冷却する２４００ＲＰＭに変更する。なお、本実施の形態でファン速度を１０００ＲＰＭから２４００ＲＰＭへ変更したが、設定火力を強くした時には変更後の構成部品を十分冷却できるようにファン速度を増加させるようにしていればよく、これに限るものではない。
【００２８】
そして、ファン速度を１０００ＲＰＭから２４００ＲＰＭに増加させるに伴い、充電部１５および蓄電部１３の冷却能力も向上するので、充電電流を０．５Ａから２．０Ａに上昇させることが可能となり、火力弱３００Ｗの場合に比べ高速に充電することができる。
【００２９】
また、火力強の１３００Ｗから火力弱の３００Ｗに変更した場合、ファン速度は火力強の時の２４００ＲＰＭからが火力弱に対応した１０００ＲＰＭに変更される。このファン速度の減少に伴い、充電電流を２．０Ａから０．５Ａに変更する。これにより、充電電流が２．０Ａの場合に比べ蓄電部１３、充電部１５などの充電に関連する構成部品の発熱が低減されるため冷却ファン１６のファン速度を低下させても冷却可能となり、騒音の低減ができる。
【００３０】
また、制御手段５は設定火力の短時間内の変更により冷却ファンのファン速度が短時間に変動する（例えば５秒間の内に１０００ＲＰＭと１５００ＲＰＭを一往復以上繰り返す）場合には充電電流を繰り返している設定火力に対応した充電電流のうち少ない方の充電
電流にて一定（例えば、０．５Ａ）にすることで充電電流がファン速度によって短時間に変化することによる充電部１５の構成回路や蓄電部１３の蓄電池への負担を減らすことができる。
【００３１】
具体的な方法の一例としては、制御手段５は、設定火力を小さく変更したときにファン速度が小さくなるときは充電電流を減少させ、ファン速度が小さくなってから充電電流を減少させるまでの時間よりもファン速度が大きくなってから充電電流を増加させるまでの時間を長くなるように設定することにより実現可能である。
【００３２】
また、制御手段５は蓄電部１３が満充電であることを検知し、充電が完了したと判定すると、充電時間または充電電流が小さくなるに伴い、冷却ファン１６のファン速度を減少する構成としている。例えば、満充電までの充電時間が３０分未満の場合は充電が完了すると３０分間はファン速度２０００ＲＰＭとし、その後３０分間はファン速度１０００ＲＰＭとする。また、満充電までの充電時間が３０分以上の場合は充電時間が３０分未満の時に比べ充電電流が小さいため充電が完了すると３０分間はファン速度１０００ＲＰＭとし、その後３０分間はファン速度５００ＲＰＭとする。なお、本実施の形態で充電時間やファン速度を前記例のとおりとしたが、充電完了後に減少させた充電電流の蓄電部１３の蓄電池や充電部１５の構成回路などを冷却できるファン速度であればよく、これに限るものではない。
【００３３】
次に、図２を用いて制御手段５の動作について説明する。図２は、本実施の形態における誘導加熱調理器のフローチャートである。
【００３４】
まず、加熱開始後は、Ｓ１１にて設定火力が火力中に設定され、Ｓ１２にて加熱終了の操作がされたかを判断し、加熱終了の操作がされていれば加熱を終了し、加熱終了の操作がされていなければＳ１３に移行して現在の設定火力が火力弱かどうかを判断する。そして、火力弱であればＳ１４へ、火力弱でなければＳ２１の判断により火力中であればＳ２２へ、火力強であればＳ２７へ移行する。このように火力弱３００Ｗ、火力中８００Ｗ、火力強１３００Ｗのいずれかの状態であることを判定する。
【００３５】
設定火力が火力中であればＳ２２にて火力中に対応した８００Ｗの火力でインバータ部６を駆動して調理容器１を加熱し、Ｓ２３にて冷却ファン１６を速い速度のファン回転数２４００ＲＰＭで駆動する。そして、Ｓ２４にて蓄電部１３の充電容量が満充電に近く充電が完了したと判断するとＳ２６にて充電部１５の充電を停止し、充電が完了していないと判断するとＳ２５にて充電電流を２．２Ａにて充電を行う、または継続する。
【００３６】
一方、Ｓ１３にて設定火力が火力弱ではなく、Ｓ２１にて設定火力が火力中でもないと判断した場合は、Ｓ２７にて火力強に対応した１３００Ｗの火力でインバータ部６を駆動し、Ｓ２８にて冷却ファン１６を早い速度のファン回転数２４００ＲＰＭで駆動する。そして、Ｓ２９にて蓄電部１３の充電容量が満充電に近く充電が完了したと判断するとＳ３１にて充電部１５の充電を停止し、充電が完了していないと判断するとＳ３０にて充電電流を２．０Ａにて充電を行う、または継続する。
【００３７】
さらに、Ｓ１３にて設定火力が火力弱であると判断した場合は、Ｓ１４にて火力弱に対応した３００Ｗの火力でインバータ部６を駆動し、Ｓ１５にて冷却ファン１６を遅い速度のファン回転数１０００ＲＰＭで駆動する。そして、Ｓ１６にて蓄電部１３の充電容量が満充電に近く充電が完了したと判断するとＳ１８にて充電部１５の充電を停止し、充電が完了していないと判断するとＳ１７にて充電電流を０．５Ａにて充電を行う、または継続する。
【００３８】
ここで、設定火力が火力強におけるＳ３０の充電電流が２．０Ａであるのに対して設定火力が火力中におけるＳ２５の充電電流が２．２Ａであり、設定火力に対して逆転しているのは、設定火力が火力中と火力強でＳ２３およびＳ２８のファン回転数を同じにしていることに起因するものである。ファン回転数は設定火力に応じて変更するようにしているものの、冷却ファン１６の駆動方式によってはファン回転数の段階数を増やすとコストがアップする場合があり、また、使用者にとっては設定火力を変更する度にファン回転数が変更され、冷却ファン１６の回転音も同時に変化するため、音の変化を気にされることがあるなどの理由により、ファンの回転数の段階数は設定火力の段階数よりも少なくしている場合が多い。本実施の形態においては、火力中と火力強のファン回転数を同じ２４００ＲＰＭとしており、設定火力を３段階、ファン回転数を２段階としているものである。そして、ファン回転数が同じ火力中と火力強において、充電部１５および蓄電部１３に対する冷却能力はほぼ同等であるが、一方で例えば充電部１５または蓄電部１３がインバータ部６や加熱コイル３、または調理容器１等から輻射熱を受ける構造であった場合には火力強の方が火力中よりも多くの輻射熱を受ける。そのため、火力強では自己発熱を発生する充電電流を減らすことにより、火力中と火力強における冷却能力の限度付近までの充電電流により充電をすることができるようにしたものである。なお、火力中よりも火力強の方が温度上昇する要因としては、上記の輻射熱の他に、例えば冷却風の上流にインバータ部６や加熱コイル３がある場合などは火力強の方が冷却風の温度が高くなるために冷却能力が低下する場合などがある。
【００３９】
次にＳ１９にて設定火力の操作入力を行い、Ｓ１２へ移行する。Ｓ１２以降は上記と同様に動作するが、Ｓ１９において設定火力が変更された場合はＳ１３およびＳ２１の判断により変更後の設定火力の動作を行う。
【００４０】
以上のように、火力設定を火力中から火力強へ移行した場合のように、冷却ファン１６のファン速度を同一とした火力設定の範囲内において火力設定を大きくしたときに充電電流を同じかまたは減少させ、火力弱から火力中へ移行した場合のように、火力設定を大きくしたときにファン速度が大きくなるときは充電電流を増加させるようにしている。これにより、インバータ部６や加熱コイル３等の火力の大小に応じて発熱量の変化する部品の冷却のためにファンの速度を変化させる場合、同一の冷却ファン１６により加熱のための部品と同時に冷却される充電部１５や蓄電部１３などの充電のための部品の冷却能力が設定火力により変更されるため、冷却ファン１６の冷却能力に応じた充電電流で効率よく充電することが可能となる。すなわち、充電のために冷却ファン１６のファン速度を上昇させることなく、加熱のために設定されたファン速度の冷却余力を最大限有効活用して充電電流を大きくすることができるものである。
【００４１】
なお、本実施の形態では蓄電部１３を１０００Ｗｈの容量としたが、蓄電部１３の大きさ、価格のバランスなどにより任意で設定すればよい。
【００４２】
また、本実施の形態において、設定火力は３段階としたが、これに限らなくても良く、設定火力の段階数が多く、そのうちの少なくとも２つの隣接する設定火力においてファン速度が同じであれば、同等の効果を得ることができる。
（実施の形態２）
図３は本実施の形態における誘導加熱調理器のフローチャートである。以下、本実施の形態の動作を図３に基づいて説明する。
【００４３】
なお、実施の形態１と同じ構成物・動作については説明を省略する。
【００４４】
まず、加熱開始後は、Ｓ５１にて充電電流変更遅延用のタイマがクリアされ、Ｓ５２にて設定火力が初期設定値の火力中に設定される。Ｓ５３にて加熱終了の操作がされたかを
判断し、加熱終了の操作がされていれば加熱を終了し、加熱終了の操作がされていなければＳ５４に移行して現在の設定火力が火力弱かどうかを判断する。そして、火力弱であればＳ５５へ、火力弱でなければＳ６６の判断により火力中であればＳ６７へ、火力強であればＳ７７へ移行する。このように火力弱３００Ｗ、火力中８００Ｗ、火力強１３００Ｗのいずれかの状態であることを判定する。
【００４５】
設定火力が火力中であればＳ６７にて火力中に対応した８００Ｗの火力でインバータ部６を駆動して調理容器１を加熱し、Ｓ６８にて冷却ファン１６を速い速度のファン回転数２４００ＲＰＭで駆動する。そして、Ｓ６９にて設定火力の操作入力を検知し、火力強に変更されていればＳ７０からＳ７７以降の火力強の動作に移行し、火力弱に変更されていればＳ７２からＳ５５以降の火力弱の動作に移行する。
【００４６】
設定火力が火力中のまま変更されていなければ、Ｓ７３にて蓄電部１３の充電容量が満充電に近く充電が完了したと判断するとＳ６４にて充電部１５の充電を停止してからＳ５３に移行し、充電が完了していないと判断するとＳ７４に移行する。
【００４７】
そして、Ｓ７４にてタイマの残時間が０秒でなく残時間が残っていればＳ６１にてタイマの時間を減算してＳ５３に移行し、Ｓ７４にてタイマの残時間が０秒であればＳ７５にて充電電流を２．２Ａにて充電を行う、または継続してＳ５３に移行する。
【００４８】
なお、上記火力中のフローにおいて、設定火力が初期設定の火力中から変更されずに加熱停止もされない場合は、Ｓ５３からＳ５４とＳ６６を経由してＳ７５まで進みＳ５３に戻るループを繰り返すように動作するが、何れかのタイミングで設定火力が火力弱に変更されると該ループのＳ７２からＳ５５に移行し、火力弱の動作のループを繰り返すように動作する。
【００４９】
火力弱に移行すると、Ｓ５５にて火力弱に対応した３００Ｗの火力でインバータ部６を駆動して調理容器１を加熱し、Ｓ５６にて冷却ファン１６を遅い速度のファン回転数１０００ＲＰＭで駆動する。そして、Ｓ５７にて設定火力の操作入力を検知し、火力中に変更されていなければＳ６０にて蓄電部１３の充電容量が満充電に近く充電が完了したと判断するとＳ６４にて充電部１５の充電を停止してからＳ５３に移行し、充電が完了していないと判断するとＳ６２に移行する。
【００５０】
そして、Ｓ６２にてタイマの残時間が０秒でなく残時間が残っていればＳ６１にてタイマの時間を減算してＳ５３に移行し、Ｓ６２にてタイマの残時間が０秒であればＳ６３にて充電電流を０．５Ａにて充電を行う、または継続してＳ５３に移行する。
【００５１】
このように、上記火力弱のフローの動作は、火力設定とファン回転数および充電電流が火力中のフローと異なるものの、他の動作は火力中とほとんど同じ動作である。しかしながら、本実施の形態では、火力弱から火力中に設定変更する場合において、ファン回転数が１０００ＲＰＭから２４００ＲＰＭに増加するため、Ｓ５８にて火力中に変更されたと判断したときは火力中の動作フローに移行する前にＳ５９にてタイマに５秒の残時間をセットするようにしている。タイマに時間がセットされると、何れの火力設定のループにおいても充電電流の変更をせずにＳ６１にてタイマ減算のみを行ってループ処理をするように動作する。具体的には、火力中のループ処理において、Ｓ７４にてタイマの残時間が０秒であればＳ７５に移行して充電電流を火力中に対応した２．２Ａとする動作をするが、タイマの残時間が０秒ではない、すなわち、火力弱から火力中に移行してから５秒経過していない間はＳ７５にて充電電流を２．２Ａにすることなく、火力弱の充電電流である０．５ＡのままでＳ６１のタイマ減算のみ行ってＳ５３に移行するループとなる。そして、火力中に移行してから５秒が経過してから充電電流を２．２Ａに上昇させる。
【００５２】
一方、火力中のループ動作を行っているときに、火力強への変更操作があると、火力が強い方向への変更となるが、ファン回転数は２４００ＲＰＭのままで変更されないので、タイマの残時間に時間をセットせずに火力強の動作ループに移行する。
【００５３】
以上のように、火力中から火力弱へ移行した場合のように、火力設定を小さくしたときにファン速度が小さくなるときは充電電流を減少させ、ファン速度が小さくなってから充電電流を減少させるまでの時間よりも、火力弱から火力中へ移行した場合のようにファン速度が大きくなってから充電電流を増加させるまでの時間が長くなるようにした。これにより、例えば設定火力の短時間内の変更操作などにより冷却ファンのファン速度が短時間（本実施の形態においては５秒間）に往復変動が継続するような場合には充電電流を繰り返している設定火力に対応した充電電流のうち少ない方の充電電流（本実施の形態においては０．５Ａ）にて一定にすることで火力変更の操作に伴うファン速度の変化はファンの音などにより使用者が認識できるため操作に応じて変化するようにでき、充電電流が増える方向の変化には遅延時間を設けることができ、充電電流がファン速度によって短時間に変化することによる充電部１５の構成回路や蓄電部１３の蓄電池への負担を減らすことができる。
【産業上の利用可能性】
【００５４】
以上のように、本発明にかかる誘導加熱調理器は、蓄電部を充電する構成を有し、誘導加熱のための部品と充電のための部品をともに同一の冷却ファンで冷却する場合に適用できるので、その他の誘導加熱機器に対しても同様に応用することができる。
【符号の説明】
【００５５】
１    調理容器
２    トッププレート
３    加熱コイル
４    温度センサ
５    制御手段
６    インバータ部
７    操作部
８    報知手段
９    商用電源
１０  第１の整流器
１１  電力供給部
１２  キャパシタ
１３  蓄電部
１４  第２の整流器
１５  充電部
１６  冷却ファン
【図１】
2014216169.tif 000003
【図２】
2014216169.tif 000004
【図３】
2014216169.tif 000005
【図４】
2014216169.tif 000006